(57)【要約】  ウィジェットを表示する方法及びモバイルデバイスが提供される。ウィジェットを表示する方法は、モバイルデバイスでホームアプリケーションが実行されれば、ホームアプリケーションに対応する背景画面をモバイルデバイスのディスプレイに表示するステップ、ホームアプリケーションに対応するウィジェットの要素を背景画面のウィジェット領域に表示するステップ、ユーザインターフェイスを通じてウィジェット領域のサイズが変更される場合、変更されたサイズに対応する要素を抽出するステップ、及び、表示された要素の一つ以上を抽出された要素に取り替えるステップを含む。
2016524744.tif 000002
【特許請求の範囲】
【請求項１】
モバイルデバイスにウィジェットを表示する方法において、
モバイルデバイスでホームアプリケーションが実行されれば、ホームアプリケーションに対応する背景画面を前記モバイルデバイスのディスプレイに表示するステップ；
前記ホームアプリケーションに対応するウィジェットの要素を前記背景画面のウィジェット領域に表示するステップ；
ユーザインターフェイスを通じて前記ウィジェットのサイズが変更される場合、前記変更されたサイズに対応する要素を抽出するステップ；及び、
前記表示された要素のうち一つ以上を前記抽出された要素に取り替えるステップを含むウィジェット表示方法。
【請求項２】
前記要素は背景イメージ、客体イメージ及びテキストを含み、
前記ウィジェットの要素を表示するステップは、前記要素からなった第１レイアウトを表示することであり、
前記取り替えるステップは、前記要素からなった第１レイアウトを前記抽出された要素からなった第２レイアウトに取り替えることを特徴とする請求項１に記載のウィジェット表示方法。
【請求項３】
前記要素を抽出するステップは、
前記変更されたサイズのセル情報に対応する要素を抽出することを特徴とする請求項１に記載のウィジェット表示方法。
【請求項４】
前記第１レイアウトの要素うちいずれか一つは、サーバから受信されたリアルタイム情報に従い決定されるリアルタイム情報型要素であり、
前記第１レイアウトのリアルタイム情報型要素の個数は、前記第２レイアウトのリアルタイム情報型要素の個数より少ないことを特徴とする請求項２に記載のウィジェット表示方法。
【請求項５】
前記背景画面を表示するステップは、前記ホームアプリケーションに対応する背景画面及びアイコンを表示することであり、
前記ユーザインターフェイスを通じて前記モバイルデバイスに格納された前記ホームアプリケーションのテーマファイルが選択される場合、前記背景画面、アイコン及び前記ウィジェットの要素を前記テーマファイルの背景画面、アイコン及び要素に一括変更するステップをさらに含む請求項１に記載のウィジェット表示方法。
【請求項６】
前記ウィジェットの要素を表示するステップは、前記ホームアプリケーションに対応する第１ウィジェットの要素、及び、前記ホームアプリケーションに対応する第２ウィジェットの要素を表示することであり、
前記ユーザインターフェイスを通じて前記モバイルデバイスに格納された前記第１ウィジェットのテーマファイルが選択される場合、前記第１ウィジェットの要素のうち一つ以上と、前記第２ウィジェットの要素のうち一つ以上とを前記テーマファイルの要素に一括変更するステップをさらに含む請求項１に記載のウィジェット表示方法。
【請求項７】
前記テーマファイルは、前記テーマファイルに対応する背景画面、アイコン、ドックイメージ、ウィジェット及び背景画面の切替情報を前記テーマファイルの細部テーマファイルとして含み、
前記細部テーマファイルを選択する細部テーマ選択領域及び前記選択された細部テーマファイルのプレビューを表示するプレビュー領域を前記モバイルデバイスのディスプレイに表示するステップをさらに含む請求項５に記載のウィジェット表示方法。
【請求項８】
前記背景画面を表示するステップは、前記ホームアプリケーションに対応する背景画面の第１サーブ背景画面を表示することであり、
ユーザインターフェイスを通じて第１方向への画面切替入力が受信される場合、前記背景画面の第２サーブ背景画面を前記ディスプレイに表示し、前記ユーザインターフェイスを通じて第２方向への画面切替の入力が受信される場合、情報提供画面を前記ディスプレイに表示するステップをさらに含む、請求項１に記載のウィジェット表示方法。
【請求項９】
前記第１方向は左側方向であり、前記第２方向は右側方向であり、前記画面切替の入力はスワイピング（Ｓｗｉｐｉｎｇ）、スワイプ（Ｓｗｉｐｅ）またはフリック（Ｆｌｉｃｋ）のうちいずれかの入力であることを特徴とする請求項８に記載のウィジェット表示方法。
【請求項１０】
請求項１ないし請求項９のいずれかに記載された方法をコンピュータで実行させるためのプログラムを記録したコンピュータ読み取り可能な記録媒体。
【請求項１１】
モバイルデバイスにおいて、
モバイルデバイスでホームアプリケーションを実行するホームアプリケーション実行部；
前記ホームアプリケーションに対応する背景画面を前記モバイルデバイスのディスプレイに表示し、前記ホームアプリケーションに対応するウィジェットの要素を前記背景画面のウィジェット領域に表示する表示部；及び、
ユーザインターフェイスを通じて前記ウィジェットのサイズが変更される場合、前記変更されたサイズに対応する要素を抽出するウィジェット実行部を含み、
前記表示部は、前記表示された要素の一つ以上を前記抽出された要素に取り替えることを特徴とするモバイルデバイス。
【請求項１２】
前記ウィジェット実行部は、前記変更されたサイズのセル情報に対応する要素を抽出することを特徴とする請求項１１に記載のモバイルデバイス。
【請求項１３】
前記表示部は、前記ホームアプリケーションに対応する背景画面及びアイコンを表示するものであり、
前記ユーザインターフェイスを通じて前記モバイルデバイスに格納された前記ホームアプリケーションのテーマファイルが選択される場合、前記背景画面、アイコン及び前記ウィジェットの要素を前記テーマファイルの背景画面、アイコン及び要素に一括変更するテーマファイル処理部をさらに含む請求項１１に記載のモバイルデバイス。
【発明の詳細な説明】
【技術分野】
【０００１】
ウィジェットを表示する方法及びモバイルデバイスに関する。
【背景技術】
【０００２】
スマートフォン（Ｓｍａｒｔ  Ｐｈｏｎｅ）の運営体制（ＯＳ）は大きくアップル（Ａｐｐｌｅ）社のｉＯＳとグーグル（Ｇｏｏｇｌｅ）社のアンドロイド（Ａｎｄｒｏｉｄ）に分けられる。アップル社のｉＯＳは、アップル製品の専用運営体制であって、定められたメニュと画面構成に従わなければならない。一方、グーグル社のアンドロイドは、多様なスマートフォン製造社の運営体制を認めている。また、アンドロイドは、ソースコードを一般に公開することで、ユーザに豊かでかつ統合したモバイルサービスを提供することを主な特徴とする。
【０００３】
このようなアンドロイドの長所の一つは、ウィジェット（Ｗｉｄｇｅｔ）とランチャー（Ｌａｕｎｃｈｅｒ）プログラムである。ウィジェットは、ウェブブラウザを介さず、よく利用するサービスを直ちに利用できるように作ったミニアプリケーションのことをいい、ランチャープログラムは、アンドロイド（Ａｎｄｒｏｉｄ）が搭載されたスマートフォンの初期画面をユーザの好み通りに変えるモバイルアプリ（Ａｐｐ）のことをいう。
【０００４】
既存のアンドロイドウィジェットは、ウィジェットのサイズの調節が不可能であるか、一部制限的なサイズの変化のみを提供していた。また、ランチャープログラムを利用してスマートフォンの画面にテーマを適用させる場合、ユーザに提供される制御権限は制限的であった。
【発明の概要】
【発明が解決しようとする課題】
【０００５】
ユーザにより変更されたウィジェットのサイズを考慮してウィジェットの構成要素、配置または情報を動的に調節するウィジェット表示方法及びモバイルデバイスを提供する。また、ランチャープログラムを通じてモバイルデバイスのテーマを変更時に、ウィジェットのテーマまで一括変更できるウィジェット表示方法及びモバイルデバイスを提供する。また、モバイルデバイスのテーマ変更及びウィジェットのテーマ変更をより便利にするウィジェット表示方法及びモバイルデバイスを提供する。但し、本実施例が達成しようとする技術的課題は、上記したような技術的課題に限定されず、また他の技術的課題が存在し得る。
【課題を解決するための手段】
【０００６】
本発明の一実施例は、モバイルデバイスでホームアプリケーションが実行されれば、ホームアプリケーションに対応する背景画面をモバイルデバイスのディスプレイに表示するステップ、ホームアプリケーションに対応するウィジェットの要素を背景画面のウィジェット領域に表示するステップ、ユーザインターフェイスを通じてウィジェット領域のサイズが変更される場合、変更されたサイズに対応する要素を抽出するステップ、及び、表示された要素のうち一つ以上を抽出された要素に取り替えるステップを含むウィジェット表示方法を提供することができる。
【０００７】
本発明の他の実施例は、モバイルデバイスでホームアプリケーションを実行するホームアプリケーション実行部、ホームアプリケーションに対応する背景画面をモバイルデバイスのディスプレイに表示し、ホームアプリケーションに対応するウィジェットの要素を背景画面のウィジェット領域に表示する表示部、及び、ユーザインターフェイスを通じてウィジェット領域のサイズが変更される場合、変更されたサイズに対応する要素を抽出するウィジェット実行部を含み、表示部は、表示された要素のうち一つ以上を抽出された要素に取り替えることを特徴とするモバイルデバイスを提供することができる。
【発明の効果】
【０００８】
ユーザにより変更されたウィジェットのサイズを考慮してウィジェットの構成要素、配置または情報を動的に調節するウィジェット表示方法及びモバイルデバイスを提供することができる。また、ランチャープログラムを通じてモバイルデバイスのテーマを変更時に、ウィジェットのテーマまで一括変更できるウィジェット表示方法及びモバイルデバイスを提供することができる。さらに、モバイルデバイスのテーマ変更及びウィジェットのテーマ変更をより便利にするウィジェット表示方法及びモバイルデバイスを提供することができる。
【図面の簡単な説明】
【０００９】
【図１】本発明の一実施例に係るウィジェット表示システムの構成図である。
【図２】図１に示されたモバイルデバイスの構成図である。
【図３】ホームアプリケーションに対応するウィジェットの一例を示す図である。
【図４ａ】本発明の一実施例に係り、ウィジェット領域のサイズが変更される過程を説明するための図である。
【図４ｂ】本発明の一実施例に係り、ウィジェット領域のサイズが変更される過程を説明するための図である。
【図５】テーマファイルを選択するためのグラフィックインターフェイスの一例を示す図である。
【図６ａ】細部テーマファイルを選択するためのグラフィックインターフェイスの一例を示す図である。
【図６ｂ】細部テーマファイルを選択するためのグラフィックインターフェイスの一例を示す図である。
【図７ａ】モバイルデバイスの背景画面が切り替えられる過程を説明するための図である。
【図７ｂ】モバイルデバイスの背景画面が切り替えられる過程を説明するための図である。
【図７ｃ】モバイルデバイスの背景画面が切り替えられる過程を説明するための図である。
【図８】本発明の一実施例に係るウィジェットを表示する方法の動作フローチャートである。
【発明を実施するための形態】
【００１０】
以下では、添付した図面を参照して、本発明が属する技術分野で通常の知識を持った者が容易に実施することができるように本発明の実施例を詳しく説明する。しかし、本発明は、様々な異なった形態で具現でき、ここで説明する実施例に限らない。そして、図面で本発明を明確に説明するために、説明と関係ない部分は省略し、明細書の全体を通じて類似した部分に対しては、類似した図面符号を付けた。
【００１１】
明細書の全体において、ある部分が他の部分と『連結』されているとすると、これは、『直接的に連結』されている場合だけでなく、その中間に他の素子を挟んで『電気的に連結』されている場合も含む。また、ある部分がある構成要素を『含む』とすると、これは、特に反対する記載がない限り、他の構成要素を除外するのではなく、他の構成要素をさらに含むことができることを意味する。
【００１２】
図１は、本発明の一実施例に係るウィジェット表示システムの構成図である。図１を参照すると、ウィジェット表示システム１は、サーバ１０及びデバイス２０を含む。但し、このような図１のウィジェット表示システム１は、本発明の一実施例に過ぎず、本発明の様々な実施例によれば、ウィジェット表示システム１は図１と異なるように構成され得る。
【００１３】
ウィジェット表示システム１を構成する図１の各構成要素は、一般的にネットワーク（ｎｅｔｗｏｒｋ）を通じて連結される。例えば、図１に示されたように、複数のデバイス２０は、ネットワークを通じてサーバ１０に連結される。
【００１４】
ネットワークは、端末及びサーバのようなそれぞれのノード相互間に情報交換が可能な連結構造を意味するもので、このようなネットワーク（ｎｅｔｗｏｒｋ）の一例には、３ＧＰＰ（３ｒｄ  Ｇｅｎｅｒａｔｉｏｎ  Ｐａｒｔｎｅｒｓｈｉｐ  Ｐｒｏｊｅｃｔ）  ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（Ｂｌｕｅｔｏｏｔｈ：登録商標）ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限らない。
【００１５】
図１を参照すると、サーバ１０と複数のデバイス２０とを連結する第１ネットワークと、デバイス２１とデバイス２２とを連結する第２ネットワークとは、互いに異なる類型のネットワークであり得る。例えば、第１ネットワークは、広帯域ネットワークであって、第２ネットワークは近距離ネットワークであってもよい。このとき、広帯域ネットワークの一例はＬＴＥネットワークであり、近距離ネットワークの一例はＷｉｒｅｌｅｓｓ  ＬＡＮである。
【００１６】
サーバ１０は、ウィジェット表示システム１内のノード間のデータを中継する。例えば、サーバ１０は、第１デバイス２１からメッセージを受信し、受信したメッセージを第２デバイス２２に転送することができる。このとき、メッセージの一例は、ＭＩＭ（Ｍｏｂｉｌｅ  Ｉｎｓｔａｎｔ  Ｍｅｓｓｅｎｇｅｒ）メッセージ、ＳＮＳメッセージまたはゲームメッセージである。また、サーバ１０の一例は、コンテンツ提供サーバ、コンテンツサービス提供者サーバ、メディアサーバ、ヘッドエンドなど様々である。
【００１７】
サーバ１０は、ウィジェットに関連する情報をデバイス２０に転送することができる。例えば、デバイス２０のディスプレイに表示されたウィジェットがリアルタイム情報型ウィジェットであれば、サーバ１０は一定の周期でウィジェットに関連するリアルタイム情報をデバイス２０に提供することができる。または、デバイス２０がユーザインターフェイスからウィジェットのリアルタイム情報に対する更新の要請を受けると、サーバ１０は、デバイス２０の要請に従ってリアルタイム情報をデバイス２０に提供することができる。リアルタイム情報型ウィジェットは、例えば、天気、株式、交通情報、ニュースなどのような情報を含むことができる。
【００１８】
他の例として、デバイス２０のディスプレイに表示されたウィジェットがマルチメディア型ウィジェットであれば、サーバ１０は、デバイス２０からマルチメディアの要請を受け、要請を受けたマルチメディアをデバイス２０に提供することができる。このとき、マルチメディアの一例は、音楽コンテンツまたはビデオコンテンツであり、サーバ１０は、ストリーミング（ｓｔｒｅａｍｉｎｇ）またはダウンロード（ｄｏｗｎｌｏａｄ）方式を利用してマルチメディアをデバイス２０に転送することができる。
【００１９】
サーバ１０は、デバイス２０からホームアプリケーションのテーマファイルの要請を受ければ、要請を受けたテーマファイルをデバイス２０に転送することができる。このとき、テーマファイルは、テーマファイルに対応する背景画面、アイコン、ドックイメージ、ウィジェット及び背景画面の切替情報をテーマファイルの細部テーマファイルとして含むことができる。
【００２０】
デバイス２０は、サーバ１０から情報を受信し、受信した情報をディスプレイに表示することができる。例えば、デバイス２０は、サーバ１０からウィジェットに関連した情報を受信し、受信した情報をディスプレイのウィジェットに表示することができる。他の例として、第１デバイス２１は、第２デバイス２２から転送されてきたメッセージをサーバ１０を通じて受信することができる。このとき、メッセージの一例は、ＭＩＭ（Ｍｏｂｉｌｅ  Ｉｎｓｔａｎｔ  Ｍｅｓｓｅｎｇｅｒ）メッセージ、ＳＮＳメッセージまたはゲームメッセージなどである。
【００２１】
デバイス２０は、デバイス２０のディスプレイにウィジェットを表示する。また、デバイス２０は、ユーザインターフェイスからデバイス２０のディスプレイに表示されたウィジェットのサイズ変更要請の入力を受け、ウィジェットが表示されるウィジェット領域のサイズを変更し、変更されたウィジェット領域にウィジェットの要素を表示する。このとき、ウィジェットの要素の一例は、イメージ、テキスト、音、動画などであり得る。
【００２２】
デバイス２０は、ウィジェットのサイズ変更により、ウィジェットのレイアウトを変更することができる。例えば、デバイス２０がユーザインターフェイスからウィジェットのサイズ拡大の要請を受ければ、ウィジェット領域のサイズを第１サイズから第２サイズに変更した後、ウィジェットのレイアウトも第１レイアウトから第２レイアウトに変更する。
【００２３】
デバイス２０は、ホームアプリケーションを実行させることで、ホームアプリケーションに対応する背景画面及びアイコンをデバイス２０のディスプレイに表示することができる。また、デバイス２０は、ホームアプリケーションのテーマファイルを実行させることで、既表示された背景画面及びアイコンのテーマを一括変更させることができる。このとき、テーマファイルは、デバイス２０のメモリに既格納されるか、サーバ１０から提供を受けたテーマファイルであり得る。
【００２４】
デバイス２０は、ユーザインターフェイスを通じてホームアプリケーションの第１テーマファイルが選択されれば、既表示された背景画面、アイコン及びウィジェットの要素を第１テーマファイルの背景画面、アイコン及び要素に一括変更して表示することができる。
【００２５】
細部テーマファイルは、テーマファイルに含まれた一部のデータであり得る。このような細部テーマファイルは、背景画面、アイコン及びウィジェットのそれぞれに対応することができる。従って、例えば、ユーザの選択によってテーマファイルのうち一部である第１細部テーマファイルのみが実行される場合、デバイス２０は、背景画面のみを第１細部テーマファイルの背景画面に変更して表示することができる。
【００２６】
デバイス２０の一例には、携帯性と移動性が保障される無線通信装置として、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ：登録商標）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、タブレットＰＣなどのような全ての種類のハンドヘルド（Ｈａｎｄｈｅｌｄ）に基づいた無線通信装置が含まれ得る。
【００２７】
以下では、図１のウィジェット表示システムに含まれたそれぞれの構成要素の動作についてより具体的に説明する。
【００２８】
図２は、図１に示されたデバイスの構成図である。図２を参照すると、デバイス２０は、図１に示されたデバイス２０のうちいずれか１つのデバイス（２１〜２２）を意味する。但し、デバイス２０が図１に示された形態に限定されるのではない。
【００２９】
図２を参照すると、デバイス２０は、ホームアプリケーション実行部２５、表示部２７、ウィジェット実行部２６及びテーマファイル処理部２８を含む。但し、図２に示されたデバイス２０は、本発明の一つの具現例に過ぎず、図２に示された構成要素に基づき、様々な変形が可能である。例えば、デバイス２０は、音声を出力する音声出力装置、映像を出力するディスプレイをさらに含むこともできる。
【００３０】
ホームアプリケーション実行部２５は、モバイルデバイス２０でホームアプリケーションを実行する。このとき、ホームアプリケーションは、モバイルデバイス２０に基本に搭載されたホームアプリケーションであってもよく、外部からダウンロードしたランチャー（Ｌａｕｎｃｈｅｒ）プログラムを通じてインストールされたホームアプリケーションであってもよい。このとき、ホームアプリケーションは、アンドロイド運営体制（ＯＳ）のようなモバイル運営体制が搭載されたモバイルデバイス２０で使われることができ、モバイルデバイス２０の製造社及び機種に関係なく使われることができる。
【００３１】
ウィジェット実行部２６は、ウィジェットデータを基盤にウィジェットを実行させる。このとき、ウィジェットデータは、ホームアプリケーションのデータ内に含まれることができる。また、ウィジェットデータは、ホームアプリケーションがモバイルデバイス２０にインストールされるとき、モバイルデバイス２０のメモリに自動に格納されることができる。但し、ウィジェットデータは、ホームアプリケーションと別途にダウンロード及び格納されることもできる。
【００３２】
表示部２７は、ホームアプリケーションに対応するウィジェットの要素を背景画面のウィジェット領域に表示する。一般的に、ウィジェットは、上述したように、ウィジェット実行部２６により実行され、表示部２７は、ウィジェットの実行に対応してウィジェットの要素を抽出してウィジェット領域に表示する。表示部２７は、ウィジェットの要素からなったレイアウトをウィジェット領域に表示することもできる。このとき、レイアウトは、複数の要素が複数の要素のそれぞれに対応する位置に配置されたことを意味し得る。
【００３３】
ウィジェットの要素は、ウィジェットに含まれたウィジェットの構成要素を意味し得る。このような要素の一例は、イメージ、アイコン、動画、音、テキスト、リアルタイム情報型要素などである。このとき、イメージは、背景イメージ、客体イメージまたはアイコンイメージを含む。
【００３４】
ウィジェット実行部２６は、ユーザインターフェイスを通じてウィジェット領域のサイズが変更される場合、変更されたサイズに対応する要素を抽出する。例えば、ウィジェット実行部２６は、ウィジェット領域のサイズが既存の第１サイズから第２サイズに変更される場合、第２サイズに対応する要素を抽出することができる。このとき、第２サイズに対応する第２要素の一部は、第１サイズに対応する第１要素と同一であり、第２サイズに対応する第２要素の他の一部は、第１サイズに対応する第１要素と異なり得る。
【００３５】
表示部２７は、ディスプレイに表示されたウィジェットの要素のうち一つ以上をウィジェット実行部２６によって抽出された要素に取り替える。例えば、表示部２７は、ウィジェット領域のサイズが既存の第１サイズから第２サイズに変更される場合、第１サイズに対応する要素を第２サイズに対応する要素に取り替える。但し、表示部２７は、第１サイズに対応する要素に第２サイズに対応する要素を追加することもできる。
【００３６】
本発明の一実施例によれば、ホームアプリケーション実行部２５は、ユーザインターフェイスを通じてウィジェット領域のサイズが変更される場合、変更されたサイズに対応するセル情報を決定し、ウィジェット実行部２６は、定められたセル情報に対応する要素を抽出することができ、このとき、セル情報は、セルの個数を意味することができる。例えば、ホームアプリケーション実行部２５は、ユーザインターフェイスを通じてウィジェット領域のサイズが変更される場合、変更されたサイズに対応するセル個数を４に決定し、ウィジェット実行部２６はセル個数４に対応する要素を抽出することができる。
【００３７】
既存のホームアプリケーションは、ウィジェット領域のサイズを変更するためにピクセル情報を利用していた。しかし、ウィジェットのピクセル情報のみを利用してレイアウトを制御するには限界があり、特定の環境では、ユーザが意図したサイズのレイアウトとは異なるサイズのレイアウトが表示されることもあった。また、既存のウィジェットは、サイズが変わってもウィジェット内部のスクロール領域が大きくなるか、単にビュー（ｖｉｅｗ）が拡張された水準であって、多様な機能を提供することができなかった。
【００３８】
これに対し、ホームアプリケーション実行部２５は、セル情報（例えば、セル個数）を決定し、決定されたセル情報に従いレイアウトを変更することで、ウィジェット領域のサイズ変更によるレイアウト変更がより簡単でかつ効率的である。ホームアプリケーション実行部２５は、ウィジェットのピクセルサイズを利用してデバイス２０のディスプレイで占めることができるセルの個数を算出する。例えば、ホームアプリケーション実行部２５は、表１及び数式１を通じてセルの個数を決定することができる。
【００３９】
【表１】
2016524744.tif 000003
(ピクセル個数（ｄｐ）＋３０)／７０＝セルの個数・・・（１）
【００４０】
ウィジェット実行部２６は、ホームアプリケーション実行部２５から決定されたセル情報に対応する要素を抽出することもできる。例えば、ウィジェット実行部２６は、ウィジェット領域のセル個数が既存の第１個数から第２個数に変更される場合、第２個数に対応する要素を抽出することができる。このとき、第２個数に対応する第２要素の一部は第１個数に対応する第１要素と同一であり、第２個数に対応する第２要素の他の一部は、第１個数に対応する第１要素と異なり得る。
【００４１】
表示部２７は、ディスプレイに表示されたウィジェットの要素のうち一つ以上をウィジェット実行部２６から抽出された要素に取り替える。また、表示部２７は、ディスプレイに表示されたウィジェットの要素にウィジェット実行部２６から抽出された要素を追加することもできる。
【００４２】
ウィジェット実行部２６によりウィジェットが実行されれば、表示部２７は、ウィジェットの要素からなった第１レイアウトを表示することができる。以後、ウィジェット実行部２６は、ユーザインターフェイスを通じてウィジェット領域のサイズが変更される場合、変更されたサイズに対応する要素または対応する要素からなった第２レイアウトを抽出することができる。
【００４３】
表示部２７は、既表示された第１レイアウトを、抽出された要素からなった第２レイアウトに取り替えることができる。例えば、ユーザインターフェイスからウィジェットサイズ領域の拡大の要請を受けた場合、ウィジェット実行部２６は、拡大されたサイズに対応する要素を抽出し、表示部２７は、第１レイアウトを抽出された要素からなった第２レイアウトに取り替えることができる。他の例として、ユーザインターフェイスからウィジェットサイズ領域の縮小の要請を受けた場合、ウィジェット実行部２６は、縮小されたサイズに対応する要素を抽出し、表示部２７は、第１レイアウトを抽出された要素からなった第２レイアウトに取り替えることができる。このように、表示部２７は、ウィジェットの要素のそれぞれを個別に取り替えることもできるが、要素からなったレイアウトの形態に一括取り替えることもできる。
【００４４】
表示部２７が既表示された第１レイアウトを、抽出された要素からなった第２レイアウトに取り替えるにあたり、第１レイアウトの要素のうちいずれかは、サーバ１０から受信されたリアルタイム情報に従い決定されるリアルタイム情報型要素であり得る。例えば、第１レイアウトの要素のうちいずれかは、サーバ１０から受信されたリアルタイム天気情報に従い可変でその形態が変わるリアルタイム情報型要素であり得る。
【００４５】
このとき、第１レイアウトのリアルタイム情報型要素の個数は、第２レイアウトのリアルタイム情報型要素の個数より少ないこともある。例えば、第１レイアウトには、今日の天気を動的にアップデートするリアルタイム情報型要素１個が存在するが、第１レイアウトより大きい第２レイアウトには、今日の天気及び明日の天気のそれぞれを動的にアップデートするリアルタイム情報型要素２個が存在し得る。逆に、第１レイアウトのリアルタイム情報型要素の個数は、第２レイアウトのリアルタイム情報型要素の個数より多いこともある。例えば、第１レイアウトには、時間別のＫＯＳＰＩ指数及びＫＯＳＤＡＱ指数のそれぞれを動的にアップデートするリアルタイム情報型要素２個が存在するが、第２レイアウトより小さい第２レイアウトには、時間別のＫＯＳＰＩ指数を動的にアップデートするリアルタイム情報型要素１個が存在することができる。
【００４６】
テーマファイル処理部２８は、ユーザインターフェイスを通じてモバイルデバイス２０に格納されたテーマファイルまたはテーマファイルの細部テーマファイルが選択される場合、テーマファイルまたは細部テーマファイルを実行させることができる。例えば、テーマファイル処理部２８は、ユーザインターフェイスを通じてモバイルデバイス２０に格納されたホームアプリケーションのテーマファイルが選択される場合、既表示された背景画面、アイコン及びウィジェットの要素をテーマファイルの背景画面、アイコン及び要素に一括変更することができる。このとき、テーマファイル処理部２８は、テーマファイルの実行のみを担当し、背景画面、アイコン及びウィジェットの要素の一括変更は表示部２７により処理されることもできる。
【００４７】
テーマファイルは、テーマファイルに対応する背景画面、アイコン、ドックイメージ、ウィジェット及び背景画面の切替情報をテーマファイルの細部テーマファイルとして含むこともできる。
【００４８】
テーマファイル処理部２８は、ユーザインターフェイスを通じて所定のテーマファイルが選択される場合、テーマファイルに含まれた細部テーマファイルの全てを実行させることで、既表示された背景画面、アイコン及びウィジェットの要素をテーマファイルの背景画面、アイコン及び要素に一括変更することができる。
【００４９】
ユーザは、細部テーマファイルのそれぞれを選択することで、背景画面、アイコン、ドックイメージ、ウィジェット及び背景画面切替方式のそれぞれを個別に設定することもできる。このために、表示部２７は、細部テーマファイルを選択する細部テーマ選択領域及び選択された細部テーマファイルのプレビューを表示するプレビュー領域をモバイルデバイス２０のディスプレイに表示することができる。
【００５０】
テーマファイル処理部２８は、複数のウィジェットのうち第１ウィジェットのテーマファイルが実行されれば、第１ウィジェットの要素はもちろん、第２ウィジェットの要素も第１ウィジェットのテーマファイルに対応するように一括変更することもできる。
【００５１】
例示のために、表示部２７でホームアプリケーションに対応する第１ウィジェットの要素及びホーム第２ウィジェットの要素を表示すると仮定する。テーマファイル処理部２８は、ユーザインターフェイスを通じてモバイルデバイス２０に格納されたホームアプリケーションのテーマファイルが選択される場合、第１ウィジェットの要素のうち一つ以上と第２ウィジェットの要素のうち一つ以上とをテーマファイルの要素に一括変更することができる。
【００５２】
他の例として、テーマファイル処理部２８は、ユーザインターフェイスを通じてモバイルデバイス２０に格納されたホームアプリケーションのテーマファイルのうち第１ウィジェットの細部テーマファイルが選択される場合、第１ウィジェットの要素のうち一つ以上と第２ウィジェットの要素のうち一つ以上とを細部テーマファイルの要素に一括変更することができる。また他の例として、テーマファイル処理部２８は、ユーザインターフェイスを通じてモバイルデバイス２０に格納された第１ウィジェットのテーマファイルが選択される場合、第１ウィジェットの要素のうち一つ以上と第２ウィジェットの要素のうち一つ以上とをテーマファイルの要素に一括変更することができる。
【００５３】
表示部２７は、ホームアプリケーションに対応する背景画面及びアイコンをモバイルデバイス２０のディスプレイに表示する。表示部２７は、ユーザインターフェイスを通じて画面切替の入力が受信される場合、背景画面を変更することができる。例えば、表示部２７は、ホームアプリケーションに対応する背景画面の第１サーブ背景画面を表示した後、ユーザインターフェイスから画面切替の入力が受信されれば、第１サーブ背景画面を第２サーブ背景画面に切り替えることができる。このとき、画面切替の入力は、スワイピング（Ｓｗｉｐｉｎｇ）、スワイプ（Ｓｗｉｐｅ）またはフリック（Ｆｌｉｃｋ）のうちいずれかの入力であり得る。
【００５４】
表示部２７は、様々な画面切替方式により背景画面を切り替える。例えば、表示部２７は押し出し、カード、逆転、ブイ（Ｖ）、内側キューブ及び外側キューブなどのような方式で背景画面を切り替える。このとき、ユーザインターフェイスを通じて画面切替方式が設定されることができる。
【００５５】
表示部２７は、画面切替入力の方向により互いに異なる動作を行うこともできる。例えば、表示部２７は、ユーザインターフェイスを通じて第１方向への画面切替の入力が受信される場合、背景画面の第２サーブ背景画面をディスプレイに表示するが、ユーザインターフェイスを通じて第２方向への画面切替の入力が受信される場合、情報提供画面をディスプレイに表示することができる。このとき、第１方向は左側方向であり、第２方向は右側方向であり得る。また、情報提供画面には、例えば、天気のお知らせ、ＭＩＭメッセージ、ＳＮＳ掲示のお知らせ、友達の誕生日のお知らせ及びゲームニュースお知らせのようなモバイルデバイスに関連した情報が表示され得る。
【００５６】
図３は、ホームアプリケーションに対応するウィジェットの一例を示す図である。図３を参照すると、デバイス２０のディスプレイには、背景画面、複数のウィジェット３１〜３３、ドック３４及びアプリケーションアイコンなどが表示され得る。
【００５７】
ホームアプリケーションに対応するウィジェットは、ホームアプリケーションがインストールされなければ使用できないウィジェットを意味し得る。このようなウィジェットの一例には、リアルタイム情報型ウィジェット、マルチメディア型ウィジェット、まとめウィジェット、制御ウィジェット及び混合ウィジェットが含まれ得る。
【００５８】
リアルタイム情報型ウィジェット３１〜３２は、ユーザに重要な情報を表示し、時間により変化された情報を更新して表示することができる。リアルタイム情報型ウィジェット３１は、例えば、時計、天気情報、スポーツ現況、交通情報及び株式のうち少なくともいずれか一つ以上を含むことができる。マルチメディア型ウィジェット（未図示）は、音楽コンテンツまたはビデオコンテンツを再生し、ストリーミング（ｓｔｒｅａｍｉｎｇ）またはダウンロード（ｄｏｗｎｌｏａｄ）方式を利用してサーバ１０からコンテンツを受信することができる。まとめウィジェット（未図示）は、特定の種類の多くの資料をまとめて示す機能をし、例えば、ニュース、電子メール及び画像のような情報をまとめて示す機能をすることができる。制御ウィジェット３３は、よく使う機能をユーザに示すことで、アプリを実行せずに、直ちに制御することができる機能を提供することができる。混合ウィジェット（未図示）は、様々な機能を組み合わせて作ったウィジェットを意味する。ドック（Ｄｏｃｋ）３４は、一種の迅速実行リストとして、ユーザがよく使うアプリケーションのそれぞれに対応するアイコンを含む。例えば、ドック３４は、通話、連絡先、ＭＩＭ、アプリメニュ、モバイルブラウザのうち少なくとも一つ以上のアプリケーションのアイコンを含む。
【００５９】
図４ａ〜図４ｂは、本発明の一実施例に係り、ウィジェット領域のサイズが変更される過程を説明するための図である。図４ａは、デバイス２０のディスプレイにホームアプリケーションに対応するウィジェット４１が表示された図を示す。図４ａを参照すると、ユーザインターフェイスを通じてウィジェット領域４１に対する選択（例えば、ウィジェット領域を数秒間タッチまたはダブルクリック）が入力されれば、表示部２７は、ウィジェット領域４１を変更可能な状態に表示することができる。このために、表示部２７は、ウィジェット領域４１の境界を中心点を含む実線で表示してウィジェット領域４１が移動可能な状態であることを表すグラフィック的効果を奏することができる。
【００６０】
図４ｂは、デバイス２０のディスプレイにサイズが変更されたウィジェット４２が表示された図を示す。図４ｂを参照すると、ホームアプリケーション実行部２５は、ユーザインターフェイスを通じてウィジェット領域４１に対するサイズ変更命令の入力を受ければ、入力されたサイズ変更命令に基づいて表示されたウィジェット領域４２の変更されるサイズに対応する位置情報またはサイズ情報を検出することができる。ウィジェット領域４２のサイズに対する変更要請は、ユーザの一つの指（例えば、ユーザの人差し指）の移動またはユーザの二つの指（例えば、ユーザの人差し指と中指）が互いに異なる方向（例えば、逆方向）に移動されることで、入力されることができるが、これに限定されない。このとき、検出された位置情報は、ｘ軸及びｙ軸位置を含む２Ｄ座標であってもよく、ｘ軸、ｙ軸及びｚ軸位置を含む３Ｄ座標であってもよい。また、サイズ情報は、ウィジェット領域４２を示す所定の矩形のサイズ情報であり得る。一般的に、サイズの変更はウィジェット領域４２に対する拡大及び縮小を含む。
【００６１】
ホームアプリケーション実行部２５は、変更されたサイズに対応するセル情報を決定することができ、ウィジェット実行部２６は、ホームアプリケーション実行部２５から決定されたセル情報に対応する要素を抽出することができる。このとき、要素は、背景イメージ、客体イメージ及びテキストを含む。ウィジェット実行部２６は、ウィジェットのサイズ情報４２とセル情報に基づいて既存のレイアウトを抽出された要素からなったレイアウトに取り替えることができ、表示部２７は、取り替えられたレイアウトをデバイス２０のディスプレイに表示することができる。このとき、レイアウトは、例えば、１ｘ１、２ｘ１、２ｘ２、４ｘ１及び４ｘ２のためのレイアウトのうちいずれかであり得る。
【００６２】
図５は、テーマファイルを選択するためのグラフィックインターフェイスの一例を示す図である。図５を参照すると、ユーザインターフェイスからテーマファイルを変更するための所定の入力が受信されれば、テーマファイル処理部２８は、テーマファイルの選択のためのグラフィックインターフェイスをディスプレイに表示する。図５に示されたように、グラフィックインターフェイスは、所定のテーマファイルのプレビューを提供し、プレビューには、テーマファイルの背景画面５０、複数のウィジェット５１〜５３及びドック５４が含まれる。テーマファイル処理部２８は、ユーザインターフェイスを通じてテーマファイルのプレビューのが選択される場合、既表示された背景画面、ウィジェット及びドックを図５の背景画面５０、複数のウィジェット５１〜５３及びドック５４に一括変更することができる。このとき、テーマファイル処理部２８は、グラフィックインターフェイスのプレビューが数秒間タッチまたはダブルクリックされれば、一括変更を行うことができる。
【００６３】
図６ａ〜図６ｂは、細部テーマファイルを選択するためのグラフィックインターフェイスの一例を示す図である。図６ａを参照すると、ユーザインターフェイスから細部テーマファイルを変更するための所定の入力が受信されると、テーマファイル処理部２８は、細部テーマファイルの選択のためのグラフィックインターフェイスをディスプレイに表示する。図６ａに示されたように、グラフィックインターフェイスは、テーマファイルまたは細部テーマファイルのプレビューを提供するプレビュー領域６１０、細部テーマファイルのそれぞれを選択する細部テーマ選択領域６２０及び細部テーマファイルの類型のそれぞれを代表するメニュテキストの集合であるメニュ領域６３０を含む。
【００６４】
図６ａを参照すると、メニュ領域６３０は、テーマに対応するメニュテキスト６３１、背景画面に対応するメニュテキスト６３２、アイコンに対応するメニュテキスト６３３、ドックに対応するメニュテキスト６３４、ウィジェットに対応するメニュテキスト６３５及び切替に対応するメニュテキスト６３６を含む。このとき、メニュテキスト６３１は、テーマファイルの類型を代表し、メニュテキスト６３２は、背景画面を変更するための背景画面の細部テーマファイルの類型を代表し、メニュテキスト６３３は、アイコンを変更するためのアイコンの細部テーマファイルの類型を代表し、メニュテキスト６３４は、ドックを変更するためのドックの細部テーマファイルの類型を代表し、メニュテキスト６３５は、ウィジェットを変更するためのウィジェットの細部テーマファイルの類型を代表し、メニュテキスト６３６は、背景画面切替方式を変更するための切替方式の細部テーマファイルの類型を代表する。
【００６５】
図６ａを参照すると、ユーザがグラフィックインターフェイスを通じてメニュテキスト６３５を選択する場合、細部テーマ選択領域６２０には、第１細部テーマファイルの代表イメージ６２１及び第２細部テーマファイルの代表イメージ６２２が表示される。以後、ユーザがグラフィックインターフェイスを通じて第１細部テーマファイルの代表イメージ６２１を選択する場合、プレビュー領域６１０には、第１細部テーマファイルの適用を仮定したプレビュー映像が表示される。このとき、プレビュー領域６１０内のウィジェット６１１は、第１細部テーマファイルに対応される。テーマファイル処理部２８は、ユーザがグラフィックインターフェイス内の終了ボタン６４０を選択すれば、第１細部テーマファイルを実行させる。
【００６６】
他の例として、ユーザが第１細部テーマファイルが適用されたウィジェット６１１をデバイス２０に格納された第２細部テーマファイルに対応するように変更させると仮定する。ユーザがグラフィックインターフェイスを通じて細部テーマ選択領域６３０で第２細部テーマファイルの代表イメージ６２２を選択すると、プレビュー領域６５０には、第２細部テーマファイルの適用を仮定したプレビュー映像が表示される。このとき、プレビュー領域６５０内のウィジェット６５１は第２細部テーマファイルに対応される。
【００６７】
ユーザがプレビュー領域６５０に表示されたウィジェット６５１を確認して終了ボタン６６０を選択すると、テーマファイル処理部２８は、グラフィックインターフェイスを終了させることができる。グラフィックインターフェイスが終了することにより、第２細部テーマファイルは背景画面のウィジェット領域に反映される。このとき、グラフィックインターフェイスは、飾りの魔法使いのような編集ツールで表現されることもできる。
【００６８】
図７ａ〜図７ｃは、モバイルデバイスの背景画面が切り替えられる過程を説明するための図である。図７ａを参照すると、デバイス２０のディスプレイには、ホームアプリケーションに対応する背景画面の第１サーブ背景画面が表示されている。このとき、第１サーブ背景画面には、複数のウィジェット、アプリケーション及びドックが表示されることができる。ユーザは、一つの指（例えば、ユーザの人差し指）を利用してタッチインターフェイスを通じて背景画面を切り替えることができる。このとき、画面切替入力は、スワイピング（Ｓｗｉｐｉｎｇ）、スワイプ（Ｓｗｉｐｅ）またはフリック（Ｆｌｉｃｋ）のうちいずれかの入力であり得る。
【００６９】
図７ａ及び図７ｂを参照すると、表示部２７は、ユーザインターフェイス７０を通じて第１方向７１への画面切替の入力が受信される場合、背景画面の第２サーブ背景画面（７３）をディスプレイに表示することができる。このとき、第１方向７１は左側方向であり得る。図７ａ及び７ｂに示すように、第２サーブ背景画面（７３）には、第１サーブ背景画面のそれらと同様であるか、または、他の複数のウィジェット、アプリケーション及びドックが表示されることができる。
【００７０】
図７ｃを参照すると、表示部２７は、ユーザインターフェイス７０を通じて第２方向（７２）に画面切替の入力が受信される場合、情報提供画面を表示することができる。このとき、第２方向（７２）は右側方向であり得る。情報提供画面には、日付及び曜日（７５）、情報お知らせ（７６）及びお知らせ設定（７７）が表示されることができる。このとき、日付及び曜日（７５）は、情報お知らせ（７６）メッセージを受信した日付及び曜日であり得る。
【００７１】
また、情報お知らせ（７６）は、例えば、天気のお知らせ、ＭＩＭメッセージ、ＳＮＳ掲示のお知らせ、友達の誕生日のお知らせ及びゲームニュースのお知らせのうち少なくともいずれか一つ以上を含むことができる。天気のお知らせは、現在、気温または天気を表し、例えば、『ソウルの日較差が１２度以上にもなります。服装に気をつけて下さい。』のようなものである。また、情報お知らせ（７６）には、複数のデバイスのユーザから受信したＭＩＭメッセージがプレビューまたは全体表示方式で表示され得る。また、情報お知らせ（７６）には、友達と登録されたユーザのＳＮＳに文が掲示される場合、または、デバイス２０ユーザのＳＮＳに友達と登録されたユーザから文が掲示される場合、ＳＮＳに文が掲示されたことを知らせるＳＮＳ掲示のお知らせが表示され得る。
【００７２】
また、情報お知らせ（７６）には、ＳＮＳに友達と登録されたユーザの誕生日を知らせる誕生日のお知らせが表示され得るし、複数のデバイスのユーザからゲームの招待、お勧め、アイテム交換及び贈り物のようなゲームに係るニュースを知らせるゲームニュースのお知らせが表示されることもできる。一方、お知らせ設定（７７）は、暗号ロック及び変更、情報お知らせ（７６）のまとめ読み設定及びまとめ削除の項目のうち少なくともいずれか一つ以上の項目を含むことができる。
【００７３】
図８は、本発明の一実施例に係るウィジェットを表示する方法の動作フローチャットである。図８に示された実施例に係るウィジェットを表示する方法は、図２に示されたモバイルデバイス２０で時系列的に処理されるステップを含む。従って、以下で省略された内容であっても、図２〜図７を通じてモバイルデバイス２０について説明された内容が図８にも適用される。
【００７４】
ステップＳ８１０において、表示部２７は、モバイルデバイス２０でホームアプリケーションが実行されれば、ホームアプリケーションに対応する背景画面をモバイルデバイスのディスプレイに表示する。ステップＳ８２０において、表示部２７は、ホームアプリケーションに対応するウィジェットの要素を背景画面のウィジェット領域に表示する。このとき、要素は、背景イメージ、客体イメージ及びテキストを含むことができる。
【００７５】
ステップＳ８３０において、ウィジェット実行部２６は、ユーザインターフェイスを通じてウィジェット領域のサイズが変更される場合、変更されたサイズに対応する要素を抽出する。このために、ホームアプリケーション実行部２５は、ユーザインターフェイスを通じてウィジェット領域のサイズが変更される場合、変更されたサイズに対応するセル情報を決定し、ウィジェット実行部２６は、決定されたセル情報に対応する要素を抽出することができる。
【００７６】
ステップＳ８４０において、表示部２７は、表示された要素のうちいずれか一つ以上を抽出された要素に取り替える。
【００７７】
本発明の一実施例によれば、ステップＳ８２０において、表示部２７は、ホームアプリケーションに対応するウィジェットの要素からなった第１レイアウトを背景画面のウィジェット領域に表示する。この場合、ステップＳ８３０において、ウィジェット実行部２６は、ユーザインターフェイスを通じてウィジェット領域のサイズが変更される場合、変更されたサイズに対応する要素を抽出し、ステップＳ８４０において、表示部２７は、第１レイアウトを抽出された要素からなった第２レイアウトに取り替える。
【００７８】
本発明の一実施例によれば、第１レイアウトの要素のうちいずれか一つは、サーバから受信されたリアルタイム情報に従い決定されるリアルタイム情報型要素であり、第１レイアウトのリアルタイム情報型要素の個数は、第２レイアウトのリアルタイム情報型要素の個数より少ないことがある。
【００７９】
本発明の一実施例によれば、ステップＳ８１０において、表示部２７は、モバイルデバイス２０でホームアプリケーションが実行されれば、ホームアプリケーションに対応する背景画面及びアイコンをモバイルデバイスのディスプレイに表示する。この場合、ウィジェット表示方法は、ステップＳ８１０〜Ｓ８４０と区別される、ユーザインターフェイスを通じて前記モバイルデバイスに格納された前記ホームアプリケーションのテーマファイルが選択される場合、背景画面、アイコン及びウィジェットの要素をテーマファイルの背景画面、アイコン及び要素に一括変更するステップ（未図示）をさらに含むこともできる。
【００８０】
本発明の一実施例によれば、ステップＳ８２０において、表示部２７は、ホームアプリケーションに対応する第１ウィジェットの要素及び第２ウィジェットの要素を表示する。この場合、ウィジェット表示方法は、ステップＳ８１０〜Ｓ８４０と区別される、ユーザインターフェイスを通じて前記モバイルデバイスに格納された第１ウィジェットのテーマファイルが選択される場合、第１ウィジェットの要素のうち一つ以上と第２ウィジェットの要素のうち一つ以上とをテーマファイルの要素に一括変更するステップ（未図示）をさらに含むこともできる。
【００８１】
本発明の一実施例によれば、テーマファイルは、テーマファイルに対応する背景画面、アイコン、ドックイメージ、ウィジェット及び背景画面の切替情報を前記テーマファイルの細部テーマファイルとして含むことができる。この場合、ウィジェット表示方法は、ステップＳ８１０〜Ｓ８４０と区別される、細部テーマファイルを選択する細部テーマ選択領域、及び、選択された細部テーマファイルのプレビューを表示するプレビュー領域をモバイルデバイスのディスプレイに表示するステップ（未図示）をさらに含むこともできる。
【００８２】
本発明の一実施例によれば、ステップＳ８１０において、表示部２７は、ホームアプリケーションに対応する背景画面の第１サーブ背景画面をモバイルデバイスのディスプレイに表示する。この場合、ウィジェット表示方法は、ステップＳ８１０〜Ｓ８４０と区別される、ユーザインターフェイスを通じて第１方向への画面切替の入力が受信される場合、背景画面の第２サーブ背景画面をディスプレイに表示するが、ユーザインターフェイスを通じて第２方向への画面切替の入力が受信される場合、情報提供画面をディスプレイに表示するステップ（未図示）をさらに含むこともできる。このとき、第１方向は左側方向であり、第２方向は右側方向であり、画面切替の入力はスワイピング（Ｓｗｉｐｉｎｇ）、スワイプ（Ｓｗｉｐｅ）またはフリック（Ｆｌｉｃｋ）のうちいずれかの入力であり得る。
【００８３】
図８を通じて説明された一実施例に係るウィジェットを表示する方法は、コンピュータにより実行されるプログラムモジュールのようなコンピュータにより実行可能な命令語を含む記録媒体の形態でも具現され得る。コンピュータ読み取り可能な媒体は、コンピュータによりアクセスできる任意の可用媒体であってもよく、揮発性及び非揮発性媒体、分離型及び非分離型媒体の全てを含む。また、コンピュータ読み取り可能な媒体は、コンピュータ格納媒体及び通信媒体の全てを含むことができる。コンピュータ格納媒体は、コンピュータ読み取り可能な命令語、データ構造、プログラムモジュールまたはその他データのような情報の格納のための任意の方法、または、技術で具現された揮発性及び非揮発性、分離型及び非分離型媒体の全てを含む。通信媒体は、典型的にコンピュータ読み取り可能な命令語、データ構造、プログラムモジュール、または、搬送波のような変調されたデータ信号のその他データ、または、その他転送メカニズムを含み、任意の情報伝達媒体を含む。
【００８４】
本発明の一実施例は、図８を通じて説明されたウィジェットの表示方法を実行するデバイス２０と連動して動作するアプリケーションを提供する方法を提供することができる。このとき、デバイス２０は、ウィジェット表示方法を実施することを特徴とする。また、アプリケーションは、サーバ１０によりデバイス２０に提供されることもでき、サーバ１０と別途に構成された他のサーバによりデバイス２０に提供されることもでき、サーバ１０と異なる主体により運用される他のサーバによってデバイス２０に提供されることもできる。
【００８５】
前述した本発明の説明は例示のためのものであり、本願が属する技術分野の通常の知識を持った者は、本発明の技術的思想や必須の特徴を変更せずに他の具体的な形態に容易に変形が可能であるということが理解できるであろう。従って、以上で記述した実施例は全ての面で例示的なものであり、限定的ではないと理解するべきである。例えば、単一型で説明されている各構成要素は、分散して実施されることもでき、同様に分散したもので説明されている構成要素も、結合した形態で実施されることができる。
【００８６】
本発明の範囲は、前記詳細な説明よりは後述する特許請求の範囲によって示され、特許請求の範囲の意味及び範囲、そしてその均等概念から導出される全ての変更または変形された形態が本願の範囲に含まれると解釈されなければならない。
【図１】
2016524744.tif 000004
【図２】
2016524744.tif 000005
【図３】
2016524744.tif 000006
【図４ａ】
2016524744.tif 000007
【図４ｂ】
2016524744.tif 000008
【図５】
2016524744.tif 000009
【図６ａ】
2016524744.tif 000010
【図６ｂ】
2016524744.tif 000011
【図７ａ】
2016524744.tif 000012
【図７ｂ】
2016524744.tif 000013
【図７ｃ】
2016524744.tif 000014
【図８】
2016524744.tif 000015
【国際調査報告】
2016524744.tif 000016
2016524744.tif 000017
2016524744.tif 000018
2016524744.tif 000019